(57)【要約】【課題】蓄積文書のサムネイル表示を可能とし、更に、アクセス制限の掛かったセキュリティ文書、サムネイル画像未作成の文書の表示手段を備えた画像形成装置を提供する。【解決手段】原稿を読み取って蓄積した文書の一覧をリスト表示した後（Ｓ２１）、画面上の「サムネイル」キーを押下して、蓄積文書の内容を示すサムネイル表示への切り替えを指示すると（Ｓ２２）、アクセス制限が掛かっていない文書でサムネイル画像を作成済みであれば（Ｓ２４のＮＯ）、サムネイル画像を表示し（Ｓ２５）、アクセス制限が掛かったセキュリティ文書の場合は、アクセス不可要因を示すアイコンを表示し、サムネイル画像を表示しない（Ｓ２６）。ここで、セキュリティ文書に対するパスワード入力などにより認証を得ると、該文書のサムネイル画像を表示する。なお、文書のサムネイル画像を作成中の場合は空白表示とし、作成が完了した時点でサムネイル画像を表示する。【選択図】図１５
2006253751.tif 000002
【特許請求の範囲】
【請求項１】
原稿の画像情報を読み取る手段と、画像読み取りの動作設定を入力する操作手段と、読み取った画像データとその属性を蓄積する手段と、蓄積された画像データのサムネイルを表示する手段とを有する画像形成装置において、
蓄積された画像データのサムネイル画像を作成済みでない場合は空白表示をし、サムネイル画像の作成完了後にサムネイル画像を表示することを特徴とする画像形成装置。
【請求項２】
原稿の画像情報を読み取る手段と、画像読み取りの動作設定を入力する操作手段と、読み取った画像データとその属性を蓄積する手段と、蓄積された画像データのサムネイルを表示する手段とを有する画像形成装置において、
アクセス制限属性のある画像データでアクセス不可の状態では、該画像データのサムネイル画像を表示しないことを特徴とする画像形成装置。
【請求項３】
請求項２に記載の画像形成装置において、蓄積された画像データの属性をアイコンで表示する手段を更に有し、サムネイル画像を表示しない原因を、アイコンにて表示することを特徴とする画像形成装置。
【請求項４】
請求項２または３に記載の画像形成装置において、パスワード入力に代表される認証処理によりアクセス可能な状態に移行した場合に、サムネイル画像を表示することを特徴とする画像形成装置。
【請求項５】
原稿の画像情報を読み取る手段と、画像読み取りの動作設定を入力する操作手段と、読み取った画像データとその属性を蓄積する手段と、蓄積された画像データのサムネイルを表示する手段とを有する画像形成装置の表示制御方法において、
蓄積された画像データのサムネイル画像を作成済みでない場合は空白表示をし、サムネイル画像の作成完了後にサムネイル画像を表示することを特徴とする画像形成装置の表示制御方法。
【請求項６】
原稿の画像情報を読み取る手段と、画像読み取りの動作設定を入力する操作手段と、読み取った画像データとその属性を蓄積する手段と、蓄積された画像データのサムネイルを表示する手段とを有する画像形成装置の表示制御方法において、
アクセス制限属性のある画像データでアクセス不可の状態では、該画像データのサムネイル画像を表示しないことを特徴とする画像形成装置の表示制御方法。
【請求項７】
請求項６に記載の画像形成装置の表示制御方法において、蓄積された画像データの属性をアイコンで表示する手段を更に有し、サムネイル画像を表示しない原因を、アイコンにて表示することを特徴とする画像形成装置の表示制御方法。
【請求項８】
請求項６または７に記載の画像形成装置の表示制御方法において、パスワード入力に代表される認証処理によりアクセス可能な状態に移行した場合に、サムネイル画像を表示することを特徴とする画像形成装置の表示制御方法。
【発明の詳細な説明】
【技術分野】
【０００１】
本発明は、画像形成装置とその表示制御方法に関し、特に蓄積文書のセキュリティ機能や表示機能を有する画像形成装置とその表示制御方法に関する。
【背景技術】
【０００２】
特許文献１に示す特開２００４−２９９３９４号公報や特許文献２に示す特開２００４−００５４８０号公報には、画像形成装置に蓄積された文書を、ネットワーク上のクライアントＰＣ上のアプリケーションにサムネイル表示することや、表示されたサムネイルを選択して、印刷を行えることについて記載されている。
【特許文献１】特開２００４−２９９３９４号公報
【特許文献２】特開２００４−００５４８０号公報
【発明の開示】
【発明が解決しようとする課題】
【０００３】
前述のように、蓄積した文書のサムネイルを表示し、それを見て印刷を行う手段については、前記特許文献１でも記載されているが、これは、画像形成装置ではなく、ネットワークで接続されたクライアントＰＣ側での表示、印刷である。
しかし、近年の画像形成装置は、高性能のＧＵＩを備えていることもあり、画像形成装置上の操作部でこれと同様の操作を行えることが求められている。
【０００４】
本発明は、画像形成装置上のＧＵＩにサムネイル表示を行うことを目的とし、さらに、アクセス制限の掛かったセキュリティ文書、サムネイル画像未作成の文書の表示手段を提供することを目的とする。
【課題を解決するための手段】
【０００５】
第１の技術手段は、原稿の画像情報を読み取る手段と、画像読み取りの動作設定を入力する操作手段と、読み取った画像データとその属性を蓄積する手段と、蓄積された画像データのサムネイルを表示する手段とを有する画像形成装置において、蓄積された画像データのサムネイル画像を作成済みでない場合は空白表示をし、サムネイル画像の作成完了後にサムネイル画像を表示することを特徴とする。
【０００６】
第２の技術手段は、原稿の画像情報を読み取る手段と、画像読み取りの動作設定を入力する操作手段と、読み取った画像データとその属性を蓄積する手段と、蓄積された画像データのサムネイルを表示する手段とを有する画像形成装置において、アクセス制限属性のある画像データでアクセス不可の状態では、該画像データのサムネイル画像を表示しないことを特徴とする。
【０００７】
第３の技術手段は、前記第２の技術手段に記載の画像形成装置において、蓄積された画像データの属性をアイコンで表示する手段を更に有し、サムネイル画像を表示しない原因を、アイコンにて表示することを特徴とする。
【０００８】
第４の技術手段は、前記第２または第３の技術手段に記載の画像形成装置において、パスワード入力に代表される認証処理によりアクセス可能な状態に移行した場合に、サムネイル画像を表示することを特徴とする。
【０００９】
第５の技術手段は、原稿の画像情報を読み取る手段と、画像読み取りの動作設定を入力する操作手段と、読み取った画像データとその属性を蓄積する手段と、蓄積された画像データのサムネイルを表示する手段とを有する画像形成装置の表示制御方法において、蓄積された画像データのサムネイル画像を作成済みでない場合は空白表示をし、サムネイル画像の作成完了後にサムネイル画像を表示することを特徴とする。
【００１０】
第６の技術手段は、原稿の画像情報を読み取る手段と、画像読み取りの動作設定を入力する操作手段と、読み取った画像データとその属性を蓄積する手段と、蓄積された画像データのサムネイルを表示する手段とを有する画像形成装置の表示制御方法において、アクセス制限属性のある画像データでアクセス不可の状態では、該画像データのサムネイル画像を表示しないことを特徴とする。
【００１１】
第７の技術手段は、前記第６の技術手段に記載の画像形成装置の表示制御方法において、蓄積された画像データの属性をアイコンで表示する手段を更に有し、サムネイル画像を表示しない原因を、アイコンにて表示することを特徴とする。
【００１２】
第８の技術手段は、前記第６または第７の技術手段に記載の画像形成装置の表示制御方法において、パスワード入力に代表される認証処理によりアクセス可能な状態に移行した場合に、サムネイル画像を表示することを特徴とする。
【発明の効果】
【００１３】
本発明によれば、以下のような効果が得られる。
まず、サムネイル画像を作成中でまだ作成されていない状態であっても表示操作を行うことが可能であり、サムネイル画像が作成されれば、それが反映されるため、ユーザにストレスを感じさせない操作部を提供することが可能である。
【００１４】
また、アクセス権限がないユーザに対しては印刷等のオペレーションを行わせないだけではなく、サムネイルの表示も行わせない必要がある。この場合に、サムネイル表示を行わないだけでなく、アイコンでアクセス不可要因を表示することにより、何が原因で表示されないのかをユーザが理解可能である。
【００１５】
一方、アクセス権限を持ったユーザに対しては認証を行うことにより、サムネイルを表示することが可能になる。
【発明を実施するための最良の形態】
【００１６】
本発明に係る画像形成装置とその表示制御方法の構成・動作に関する一実施例を、図を用いて以下に詳細に説明する。
図１〜図８は、本発明の実施例として、画像処理装置の概略図、操作部の概略図、及びブロック図を示している。なお、本発明の実施例では、画像処理装置として画像形成装置を用いる。ここで、画像形成装置は、必要に応じて、ネットワークシステムとして構築することも可能である。
【００１７】
図１は、本発明に係る画像形成装置の全体構成の一例を示すブロック図であり、図２は、図１に示す画像形成装置の操作部の一例を示すパネル構成図であり、図３は、図２に示す操作部の液晶タッチパネルの一表示例を示す模式図である。
また、図４は、図１に示す画像形成装置の制御部の一例を示すブロック図であり、図５は、図４の制御部を構成する画像処理ユニット（ＩＰＵ）の内部構成の一例を示すブロック図である。図６は、本発明に係る画像形成装置上で動作するソフトウェア構成の一例を説明するためのブロック図である。
【００１８】
また、図７は、本発明に係る画像形成装置をネットワーク接続した場合のネットワーク構成の一例を示す概念図である。図８は、本発明に係る画像形成装置における１ページ分の画像信号のタイミング関係を説明するためのタイミング図である。
【００１９】
まず、図１に示す本発明の画像形成装置の動作について以下に説明する。自動原稿送り装置（ＡＤＦ）１にある、原稿台２に原稿の画像面を上にして置かれた原稿束は、図２に示す操作部３０上のプリントキー３４が押下されると、一番下の原稿から給送ローラ３、給送ベルト４によってコンタクトガラス６上の所定の位置に給送される。
ここで、一枚の原稿の給送完了により、原稿枚数をカウントアップするカウント機能を有している。
【００２０】
給送された原稿は、読み取りユニット５０によってコンタクトガラス６上の原稿の画像データとして読み取り、読み取りが終了した原稿は、給送ベルト４及び排送ローラ５によって排出される。
しかる後、原稿セット検知器７にて原稿台２に次の原稿が有ることを検知した場合、前原稿と同様に、コンタクトガラス６上に給送される。
なお、自動原稿送り装置（ＡＤＦ）１の給送ローラ３、給送ベルト４、排送ローラ５は、図４に示す搬送モータ２６によって駆動される。
【００２１】
第１トレイ８、第２トレイ９、第３トレイ１０に積載された転写紙は、各々第１給紙装置１１、第２給紙装置１２、第３給紙装置１３によって給紙され、縦搬送ユニット１４によって感光体１５に当接する位置まで搬送される。
読み取りユニット５０にて読み込まれた画像データは、書き込みユニット５７からのレーザによって感光体１５に書き込まれ、現像ユニット２７を通過することによってトナー像が形成される。
【００２２】
そして、転写紙は感光体１５の回転と等速で搬送ベルト１６によって搬送されながら、感光体１５上のトナー像が転写される。
その後、定着ユニット１７にて画像を定着させ、排紙ユニット１８によって後処理装置のフィニシャ１００に排出される。
【００２３】
後処理装置のフィニシャ１００は、本体の排紙ユニット１８によって搬送された転写紙を、通常排紙ローラ１０２方向と、ステープル処理部方向へ導くことができる。
後処理装置のフィニシャ１００では、切り替え板１０１を上方向に切り替えることにより、搬送ローラ１０３を経由して通常排紙トレイ１０４側に排紙することができる。
【００２４】
通常排紙トレイ１０４は前後に移動可能な排紙トレイである。
前後に移動可能な通常排紙トレイ１０４は、原稿毎、あるいは、画像メモリによってソーティングされたコピー部毎に、前後に移動し、簡易的に排出されてくるコピー紙を仕分けるものである。
【００２５】
一方、後処理装置のフィニシャ１００では、切り替え板１０１を下方向に切り替えることにより、ステープル搬送ローラ１０５、１０７を経由して、転写紙をステープル台１０８に搬送することができる。
【００２６】
ステープル台１０８に積載された転写紙は、一枚排紙されるごとに紙揃え用のジョガー１０９によって、紙端面が揃えられ、一部のコピー完了とともに、ステープラ１０６によって綴じられる。
ステープラ１０６で綴じられた転写紙群は、自重によってステープル完了排紙トレイ１１０に収納される。
【００２７】
転写紙の両面に画像を作像する場合は、各給紙トレイ８〜１０から給紙され作像された転写紙をフィニシャ１００側に導かないで、経路切り替えのための分岐爪１１２を上側にセットすることで、両面入紙搬送路１１３を経由して一旦両面給紙ユニット１１１にストックする。
その後、両面給紙ユニット１１１にストックされた転写紙は、再び感光体１５に作像されたトナー画像を転写するために、両面給紙ユニット１１１から再給紙され、経路切り替えのための分岐爪１１２を下側にセットし、反転排紙搬送路１１４を経由してフィニシャ１００に導く。
このように、転写紙の両面に画像を作成する場合には、両面給紙ユニット１１１が使用される。
【００２８】
感光体１５、搬送ベルト１６、定着ユニット１７、排紙ユニット１８、現像ユニット２７は、図４に示すメインモータ２５によって駆動され、各給紙装置１１〜１３はメインモータ２５の駆動を、各々、図４に示す第１〜第３給紙クラッチ２２〜２４によって伝達駆動される。
また、縦搬送ユニット１４は、メインモータ２５の駆動を図４に示す中間クラッチ２１によって伝達駆動される。
【００２９】
次に、図２に示す操作部のパネル構成について説明する。
図２の操作部３０には、液晶タッチパネル３１、テンキー３２、クリア／ストップキー３３、プリントキー３４、予熱キー３５、リセットキー３６、初期設定キー３７、コピーキー３８、コピーサーバーキー３９を少なくとも備えており、液晶タッチパネル３１には、機能キー、部数、及び画像形成装置の状態を示すメッセージなどが表示される。
【００３０】
操作部３０の初期設定キー３７を押すことにより、画像形成装置の初期状態を任意にカスタマイズすることが可能である。
例えば、画像形成装置が収納している用紙サイズを設定したり、コピー機能のモードクリアキーを押したときに設定される状態を任意に設定することが可能である。
また、一定時間操作が無いときに優先して選択されるアプリケーション等も選択することが可能であり、国際エネルギースター計画に従った低電力への移行時間の設定や、オートオフ／スリープモードへ移行する時間を設定することも可能である。
【００３１】
予熱キー３５を押すと、画像形成装置は、待機状態から電力低減状態に移行し、定着温度を低下させたり、操作部３０の表示を消灯する予熱状態に設定される。
予熱状態は、国際エネルギースター計画で称している「低電力状態」を意味している。
また、予熱状態、オフ状態／スリープ状態を解除し、待機状態に移行させるには、この予熱キー３５を再度押下する。
【００３２】
コピーキー３８の押下により、コピー機能の使用が可能である。
コピーサーバーキー３９は、コピーサーバーアプリを起動して既に蓄積済みの画像データの編集（コピーモード設定、印刷、削除）を行うときに使用する。図３に示す操作部３０の液晶タッチパネル３１の表示例は、コピーサーバーキー３９を押下した時に画面表示される。
コピーサーバーアプリの動作の詳細については、後述する。
【００３３】
図３の表示例に示すように、オペレータが液晶タッチパネル３１に表示されたいずれかのキー（例えば「原稿読み取り」）にタッチすることにより、選択された機能を示すキー（例えば「原稿読み取り」）が黒く反転する。
また、機能の詳細を指定しなければならない場合（例えば印刷条件の場合）は、該当するキー（例えば「印刷条件」）にタッチすることにより、詳細機能の設定画面が表示される。
また、液晶タッチパネル３１は、ドット表示器を使用しているため、その時の最適な表示をグラフィカルに行うことが可能である。
【００３４】
次に、図１に示す画像形成装置の制御部の構成について図４を用いて説明する。
図４に例示する制御部において、メインコントローラ２０は、画像形成装置全体を制御する。
メインコントローラ２０には、オペレータに対する液晶ディスプレイ３１の表示やオペレータからの各種キー３２〜３９の操作による機能設定入力の制御を行う操作部３０、スキャナの制御、原稿画像の画像メモリへの書き込み制御、画像メモリからの作像の制御等を行う画像処理ユニット（ＩＰＵ）４９、搬送モータ２６や原稿セット検知器７により原稿を自動給送する原稿自動送り装置（ＡＤＦ）１、等の分散制御装置が接続されている。
各分散制御装置とメインコントローラ２０とは、必要に応じて機械の状態、動作司令のやりとりを行っている。
また、紙搬送等に必要なメインモータ２５、各種クラッチ２１〜２４もメインコントローラ２０に接続されている。
【００３５】
図１に戻り、画像形成装置の原稿読み取りから、画像の書き込みまでの動作を更に説明する。
読み取りユニット５０は、原稿を載置するコンタクトガラス６と光学走査系で構成されており、光学走査系は、露光ランプ５１、第１ミラー５２、レンズ５３、ＣＣＤイメージセンサ５４等々で構成されている。
露光ランプ５１及び第１ミラー５２は図示しない第１キャリッジ上に固定され、第２ミラー５５及び第３ミラー５６は、図示しない第２キャリッジ上に固定されている。
原稿像を読み取るときには、光路長が変わらないように、第１キャリッジと第２キャリッジとが２対１の相対速度で機械的に操作される。
この光学走査系は、図示しないスキャナ駆動モータにて駆動される。
【００３６】
原稿画像は、ＣＣＤイメージセンサ５４によって読み取られ、電気信号に変換されて処理される。
書き込みユニット５７は、レーザ出力ユニット５８、結像レンズ５９、ミラー６０で構成され、レーザ出力ユニット５８の内部には、レーザ光源であるレーザダイオード及びモータによって高速で定速回転する多角形ミラー（ポリゴンミラー）が備わっている。
書き込みユニット５７から出力されるレーザ光が、画像作像系の感光体１５に照射される。
図１には図示していないが、感光体１５の一端近傍のレーザビームが照射される位置には、主走査同期信号を発生するビームセンサが配置されている。
【００３７】
次に、ＣＣＤイメージセンサ５４によって電気信号に変換された原稿画像を処理する画像処理ユニット（ＩＰＵ）４９の動作について、図５を用いて説明する。
露光ランプ５１から照射された光の反射を、ＣＣＤイメージセンサ５４によって、光電変換した電気信号（原稿画像信号）は、Ａ／Ｄコンバータ６１にてデジタル信号に変換される。
デジタル信号に変換された画像信号は、シェーディング補正部６２でシェーディング補正がなされた後、画像処理部６３にてＭＴＦ補正、γ補正等がなされる。
【００３８】
その後、セレクタ６４において、入力した画像データを、印字合成部７１を介して変倍回路７７へ、あるいは、画像メモリコントローラ６５へ、切り替えて供給する。変倍回路７７を経由した画像信号は、変倍率に合わせて拡大縮小され、書き込みユニット５７に送られる。
【００３９】
一方、画像メモリコントローラ６５を経由した画像信号は、画像メモリ６６に蓄積される。ここで、画像メモリコントローラ６５とセレクタ６４との間は、双方向に画像信号が入出力可能な構成となっている。
【００４０】
また、ＩＰＵ４９は、画像メモリコントローラ６５等への設定や、読み取りユニット５０や書き込みユニット５７の制御を行うＣＰＵ６８、及びそのプログラムやデータを格納するＲＯＭ６９、ＲＡＭ７０、ＮＶ−ＲＡＭ７４を備えている。
更に、ＣＰＵ６８は、画像メモリコントローラ６５を介して、画像メモリ６６のデータの書き込み、読み出しが行える。
【００４１】
なお、図５には特に明示していないが、ＩＰＵ４９には、読み取りユニット５０から入力される画像データ以外にも、Ｉ／Ｏポート６７を介して外部から供給される画像データ、例えばパーソナルコンピュータ等のデータ処理装置から入力された画像データも処理できるように、複数のデータの入出力を選択可能な機能を有している。
本発明においては、Ｉ／Ｏポート６７を介して、当該画像形成装置をネットワーク接続しており、その通信手段としては、インターネットの標準プロトコルとして普及しているＴＣＰ／ＩＰ通信プロトコルを用いるなどが考えられる。
【００４２】
ここで、本発明に係る画像形成装置では、例えば図７のようなネットワーク構成を可能としており、ネットワーク接続された各画像形成装置Ａ，Ｂ，Ｃや各画像処理装置ａ，ｂ，ｃの間で画像を送受信可能とするのみならず、各装置の機械構成情報や動作状況、もしくはリモート出力コマンド等の制御コマンド、設定コマンドの送受信も行っている。
【００４３】
なお、図５において、原稿画像としてセレクタ６４から画像メモリコントローラ６５へ送られた画像は、画像メモリコントローラ６５内にある画像圧縮装置によって画像データを圧縮した後、画像メモリ６６に送られる。
ここで、画像圧縮する理由は、最大画像サイズ分の２５６階調のデータをそのまま画像メモリ６６に書き込むことも可能であるが、１枚の原稿画像で画像メモリ６６を大変多く使用する結果となるので、画像圧縮を行うことにより、限られた画像メモリ６６の領域を有効に利用できるようにするためである。
【００４４】
また、この結果、一度に多くの原稿画像イメージデータを画像メモリ６６に記憶することができるため、ソート機能として、画像メモリ６６に貯えられた原稿画像イメージデータをページ順に出力することができる。
この場合、画像を出力する際に、画像メモリ６６の原稿画像イメージデータをメモリコントローラ６５内の画像伸長装置で順次伸長しながら出力を行う。このような機能は一般に「電子ソート」と呼ばれている。
【００４５】
また、画像メモリ６６の機能を利用して、複数枚の原稿画像を、画像メモリ６６の転写紙一枚分のエリアを更に細分割したエリアに順次読み込むことも可能である。
例えば、４枚の原稿画像を、画像メモリ６６の転写紙一枚分の４等分されたエリアに順次書き込むことにより、４枚の原稿が一枚の転写紙イメージに合成され集約されたコピー出力を得ることが可能となる。
このような機能は一般に「集約コピー」と呼ばれている。
【００４６】
なお、画像メモリ６６の画像はＣＰＵ６８からアクセス可能な構成となっている。
このため、画像メモリ６６の内容を加工することが可能であり、例えば画像の間引き処理、画像の切り出し処理等が行える。
加工する場合、画像メモリコントローラ６５のレジスタにデータを書き込むことにより、画像メモリ６６の記憶内容の加工処理を行うことができる。加工された画像は再度画像メモリ６６に保持される。
【００４７】
画像メモリ６６は、処理を行う画像データの大きさにより複数のエリアに分割して画像データの入出力を同時に実行可能な構成をとっている。
分割した各エリアに画像データの入力、出力をそれぞれ並列に実行可能にするために、画像メモリコントローラ６５とのインターフェースは、リード用とライト用の複数組例えば二組のアドレス・データ線で接続されている。
これにより、エリア１に画像を入力（ライト）する間に、エリア２より画像を出力（リード）するという動作が可能になる。
【００４８】
画像メモリ６６は、多くの画像データを収納するために、ハードディスク（ＨＤ）７５を別に設ける場合もある。ハードディスク７５を用いることにより、外部電源が不要となり、永久的に画像を保持できるという特徴も得られる。
したがって、複数の定型の原稿（フォーマット原稿）をスキャナで読み込み保持する場合には、このハードディスク７５が用いられるのが一般的である。
この場合、書き込み、読み出しの際に、本体の作像やスキャナからの画像書き込みに対し処理速度の差を吸収するために、画像メモリ６６に一旦記憶され処理される。
また、ハードディスク７５等の画像記憶装置からのデータを書き込みユニット５７に送る際は、画像メモリ６６に一旦記憶し、書き込みユニット５７に送ることになる。
【００４９】
ここで、画像を記憶する装置の画像メモリ６６、ハードディスク７５との間での、スキャナ画像やＩ／Ｏポート６７からの転送画像や書き込みユニット５７に送る画像の入出力は、全て、ＣＰＵ６８から制御される画像メモリコントローラ６５によって画像パスが決められる。
即ち、ＣＰＵ６８が画像データの入力、出力を決めることにより、ＣＰＵ６８に接続された画像メモリコントローラ６５が、画像の流れを切り替えることが可能となる。
【００５０】
ここで、図８を用いて、セレクタ６４における１ページ分の画像信号について説明する。
図８において、フレームゲート信号（／ＦＧＡＴＥ）は、１ページの画像データの副走査方向の有効期間を表しており、このフレームゲート信号（／ＦＧＡＴＥ）の周期に同期させてセレクタ６４の切り替えが制御される。
また、主走査同期信号（／ＬＳＹＮＣ）は、１ライン毎の主走査同期信号であり、この信号が立ち上がった後の所定クロックで、画像信号が有効となる。
また、主走査方向の画像信号が有効であることを示す信号が、ラインゲート信号（／ＬＧＡＴＥ）である。
【００５１】
これらの信号は、画素同期信号即ち画素クロック（ＶＣＬＫ）に同期しており、ＶＣＬＫの１周期に対して、１画素８ビット（２５６階調）のデータが送られてくる。
本実施例では、転写紙への書込密度が４００ｄｐｉ、最大画素数は、主走査４８００画素、副走査６８００画素である。
また、本実施例では、画像データは階調が２５５に近いほど白画像になるとしている。
なお、印字機能は、図５の印字合成部７１に示すように、画像メモリ６６の後段で行い、転写紙毎に印字を実行する。
【００５２】
ハードディスク７５等の画像記憶装置に既に記憶済みの蓄積画像を操作する機能は、図６に示すように、コピーサーバーアプリ８２として存在し、コピーアプリ８１、プリンタアプリ８３と同列で起動させることができ、それぞれが独立した動作をすることができる。
図６において、共有資源である操作部コントローラ８５、周辺機コントローラ８６、画像形成装置コントローラ８７、画像読み取り装置コントローラ８８、メモリユニット８９は、システムコントローラ８４により調停される。
【００５３】
各アプリ８１，８２，８３は、操作部コントローラ８５、入出力制御部９０を介して動作する操作部が提供する仮想画面に、それぞれの操作画面情報を書き込むことが可能である。
操作部は、システムコントローラ８４から指示される操作部オーナーアプリの仮想画面の画面情報を実画面に展開する。
【００５４】
次に、本発明に係る画像形成装置における一実施例として、コピーサーバーアプリ８２を起動して、画像メモリ６６やハードディスク７５等の画像記憶装置に既に蓄積済みの文書を一覧表示する動作について、図９〜図１２の表示画面例及び図１３〜図１６のフローチャートを用いて順次説明する。なお、図９〜図１２の表示画面例については、図３の模式図に示した各表示情報のうち、以下の説明に必要とする情報のみに絞って表示している。
【００５５】
（実施例１）
まず、図９に示すリスト表示画面から図１０に示すサムネイル表示画面に切り替える動作を、図１３，１４のフローチャートを中心にして説明する。
ここで、液晶タッチパネル３１に表示される図９の画面は、画像メモリ６６やハードディスク７５等の画像記憶装置に既に蓄積した文書をリスト形式で表示したものである。
蓄積済み文書をリスト形式で図９に示すように画面表示して（ステップＳ１）、この画面にある「サムネイル」キーを押下することにより、蓄積文書のリスト表示からサムネイル表示への切り替えを指示する（ステップＳ２）。この結果、蓄積済み文書に関する図１０のようなサムネイル形式に切り替える処理が起動される。
【００５６】
ここで、図１０のサムネイル表示例においては、一画面に表示できるサムネイルが６個とした場合について示しており、図９のリスト形式の文書順に対応して、左上から右方向に順次表示して、右端に到達したら次の行の左端に移って右方向に順次表示していく形式としており、左上から右方向へ文書１、２、３のサムネイルが表示され、次に、左下から右方向へ文書４、５、６のサムネイルが表示される。
【００５７】
ここで、図１０に例示するように、右下の文書６が、サムネイル画像がまだ作成されていない文書であると仮定して説明する。
図１０のように、一画面に表示できるサムネイル数が６個であれば、文書１から６までの文書のサムネイル表示更新をループ処理により行う（ステップＳ３）。
この際、表示対象文書のサムネイル画像が作成済みか否かの判定を行い（ステップＳ４）、作成済みであれば（ステップＳ４のＹＥＳ）、サムネイル画像の表示を行う（ステップＳ５）。一方、作成中などにより、まだ作成されていない場合は（ステップＳ４のＮＯ）、表示処理を行わず、空白表示になる。
【００５８】
この結果、図１０に示すように、文書１，２、４は、サムネイル画像が表示されるが、未作成の文書６については、サムネイル表示がされない。なお、文書３、５については、アクセス制限が掛かったセキュリティ文書であることを示し、この段階では、文書内容を示すサムネイル画像としては表示されず、アクセス不可要因をあらわすアイコン（「鍵」マーク）のみが表示される。このセキュリティ文書の扱いについては後述する。
【００５９】
次に、図１０に例示するように、右下の文書６について未作成であったサムネイル画像が作成された場合について、図１４のフローチャートを用いて、次に説明する。
図１３のフローチャートの処理を経て、図１０のようにサムネイル表示に切り替えられた画面において（ステップＳ１１）、サムネイル画像が未作成の状態にあった文書６のサムネイル画像の作成が完了したとする（ステップＳ１２）。
【００６０】
図１０のように、一画面に表示できるサムネイル数が６個であれば、図１３の場合と同様に、文書１から６までの文書のサムネイル表示更新をループ処理により行う（ステップＳ１３）。
この際、表示対象文書のサムネイル画像が作成済みか否かの判定を行い（ステップＳ１４）、作成済みであれば（ステップＳ１４のＹＥＳ）、サムネイル画像の表示を行う（ステップＳ１５）。一方、作成中などにより、まだ作成されていない場合は（ステップＳ１４のＮＯ）、表示処理を行わず、空白表示になる。しかし、この場合、６個の表示対象文書全てについてサムネイル画像が作成済みであるので、図１１に示すように、セキュリティ文書以外の全ての表示対象文書について、文書内容を示すサムネイル画像が表示される。
【００６１】
（実施例２）  
次に、図９に示すリスト表示画面から図１１に示すサムネイル表示画面に切り替える動作について、図１５のフローチャートを中心にして説明する。ここで、図１５のフローチャートは、アクセス制限が掛かっているセキュリティ文書については、リスト形式からサムネイル表示に切り替え表示することができない場合を示している。
【００６２】
図１３のフローチャートと同様に、まず、蓄積済み文書をリスト形式で図９に示すように画面表示する（ステップＳ２１）。ここで、図９のリスト形式で文書の左端に「鍵マーク」が表示されている文書即ち文書３、５、７、８が、アクセス制限が掛かっているセキュリティ文書である。
次に、この画面にある「サムネイル」キーを押下することにより、蓄積文書のリスト表示からサムネイル表示への切り替えを指示する（ステップＳ２２）。この結果、蓄積済み文書に関する図１１のようなサムネイル形式に切り替える処理が起動される。
【００６３】
ここで、図１１のサムネイル表示例においては、前述のように、一画面に表示できるサムネイルが６個とした場合について示しており、図９のリスト形式の文書順に対応して、左上から右方向に順次表示して、右端に到達したら次の行の左端に移って右方向に順次表示していく形式としており、左上から右方向へ文書１、２、３のサムネイルが表示され、次に、左下から右方向へ文書４、５、６のサムネイルが表示される。
【００６４】
最初の一画面にサムネイル表示される６個の文書のうち、文書３と文書５とは、前述のように、アクセス制限の掛かったセキュリティ文書であり、未認証の状態では、アクセス制限される文書であり、また、全ての文書が、サムネイル画像が作成済みであると仮定して、以下に説明する。
【００６５】
図１１のように、一画面に表示できるサムネイル数が６個であれば、図１３の場合と同様に、文書１から６までの文書のサムネイル表示更新をループ処理により行う（ステップＳ２３）。
【００６６】
この際、図１３とは異なり、表示対象文書のサムネイル画像が全て作成済みと仮定しているので、次に、表示対象文書が、アクセス制限が掛かった文書か否かの判定を行う（ステップＳ２４）。アクセス制限が掛かっていない文書であれば（ステップＳ２４のＮＯ）、サムネイル画像の表示を行う（ステップＳ２５）。一方、アクセス制限が掛かっている文書の場合は（ステップＳ２４のＹＥＳ）、文書内容を示すサムネイルの代わりに、アクセス不可要因をあらわすアイコンを表示し、文書内容を示すサムネイルの表示は行わない（ステップＳ２６）。この場合、６個の表示対象文書全てについてサムネイル画像が作成済みであるので、図１１に示すように、セキュリティ文書以外の全ての表示対象文書について、文書内容を示すサムネイル画像が表示される。一方、アクセス制限が掛かった文書３、５については、アクセス不可要因をあらわすアイコン（「鍵」マーク）が表示される。
【００６７】
（実施例３）  
次に、図９に示すリスト表示画面から図１１に示すサムネイル表示画面に切り替える図１５とは異なる動作について、図１６のフローチャートを中心にして説明する。図１６のフローチャートは、例えば図１５のフローチャートにより、蓄積済み文書をリスト形式からサムネイル形式に切り替え表示した後、アクセス制限が掛かっているセキュリティ文書について、文書内容を示すサムネイル表示を表示可能とする動作の一例を示している。
【００６８】
図１６のフローチャートにおいては、例えば図１５のフローチャートを実行することにより、まず、蓄積済み文書を図１１に示すようなサムネイル形式で画面表示する（ステップＳ３１）。ここで、図１１のサムネイル形式の画面表示では、前述したように、文書３、５が、アクセス制限が掛かっているセキュリティ文書であり、かつ、未認証の状態にあるので、文書内容を示すサムネイルの代わりに、アクセス不可要因をあらわすアイコン（「鍵」マーク）が表示されている。
【００６９】
そこで、ユーザは、サムネイル表示したいセキュリティ文書例えば文書５を選択して（ステップＳ３２）、文書５に対するパスワードを入力するなどの認証操作を行うことにより、認証を行い、認証を完了させる（ステップＳ３３）。
【００７０】
ここで、図１１のサムネイル表示例においては、前述のように、一画面に表示できるサムネイルが６個とした場合について示しており、図９のリスト形式の文書順に対応して、左上から右方向に順次表示して、右端に到達したら次の行の左端に移って右方向に順次表示していく形式としており、左上から右方向へ文書１、２、３のサムネイルが表示され、次に、左下から右方向へ文書４、５、６のサムネイルが表示される。
【００７１】
図１１のように、一画面に表示できるサムネイル数が６個であれば、図１５の場合と同様に、文書１から６までの文書のサムネイル表示更新をループ処理により行う（ステップＳ３４）。
【００７２】
この際、図１５と同様、表示対象文書のサムネイル画像が全て作成済みと仮定しているので、次に、表示対象文書が、アクセス制限が掛かった文書か否かの判定を行う（ステップＳ３５）。アクセス制限が掛かっていない文書であれば（ステップＳ３５のＮＯ）、サムネイル画像の表示を行う（ステップＳ３６）。一方、アクセス制限が掛かっている文書の場合は（ステップＳ３５のＹＥＳ）、図１５の場合とは異なる動作を行う。即ち、表示対象文書のセキュリティ文書のうち、文書５についてはステップＳ３４において認証済みの状態にある。
【００７３】
そこで、まず、認証済みのセキュリティ文書であるか否かの判定を行う（ステップＳ３７）、文書５のように認証済みのセキュリティ文書であれば（ステップＳ３７のＹＥＳ）、アクセス制限が掛かった文書を示すアイコン（「鍵」マーク）を例えば左端に表示するとともに（ステップＳ３８）、ステップＳ３６に移行して、文書内容を示すサムネイル画像の表示を行う。一方、文書３のように未認証のセキュリティ文書の場合は（ステップＳ３７のＮＯ）、文書内容を示すサムネイルの代わりに、アクセス不可要因をあらわすアイコンを表示し、文書内容を示すサムネイルの表示は行わない（ステップＳ３９）。
【００７４】
以上の処理の結果、図１１に示すサムネイル表示画面が、図１２に示す表示画面へ切り替えられる。図１２においては、６個の表示対象文書全てについてサムネイル画像が作成済みであるので、図１１と同様、セキュリティ文書以外の全ての表示対象文書について、文書内容を示すサムネイル画像が表示される一方、アクセス制限が掛かったセキュリティ文書３、５のうち、認証済みのセキュリティ文書５については、アクセス制限が掛かったセキュリティ文書を示すアイコンとともにその文書内容を示すサムネイル画像が表示され、未認証のセキュリティ文書３については、そのアクセス不可要因をあらわすアイコン（「鍵」マーク）が表示される。
【図面の簡単な説明】
【００７５】
【図１】本発明に係る画像形成装置の全体構成の一例を示すブロック図である。
【図２】図１に示す画像形成装置の操作部の一例を示すパネル構成図である。
【図３】図２に示す操作部の液晶タッチパネルの一表示例を示す模式図である。
【図４】図１に示す画像形成装置の制御部の一例を示すブロック図である。
【図５】図４の制御部を構成する画像処理ユニット（ＩＰＵ）の内部構成の一例を示すブロック図である。
【図６】本発明に係る画像形成装置上で動作するソフトウェア構成の一例を説明するためのブロック図である。
【図７】本発明に係る画像形成装置をネットワーク接続した場合のネットワーク構成の一例を示す概念図である。
【図８】本発明に係る画像形成装置における１ページ分の画像信号のタイミング関係を説明するためのタイミング図である。
【図９】本発明に係る画像形成装置において蓄積済み文書をリスト形式で画面表示した一例を示す模式図である。
【図１０】本発明に係る画像形成装置において蓄積済み文書をサムネイル形式で画面表示した一例を示す模式図である。
【図１１】本発明に係る画像形成装置において蓄積済み文書をサムネイル形式で画面表示した他の例を示す模式図である。
【図１２】本発明に係る画像形成装置において蓄積済み文書をサムネイル形式で画面表示した他の更に異なる例を示す模式図である。
【図１３】本発明に係る画像形成装置において蓄積済み文書のリスト形式の表示をサムネイル形式に切り替えて表示する動作の一例を示すフローチャートである。
【図１４】本発明に係る画像形成装置において蓄積済み文書のリスト形式の表示をサムネイル形式に切り替えて表示する動作の他の例を示すフローチャートである。
【図１５】本発明に係る画像形成装置において蓄積済み文書のリスト形式の表示をサムネイル形式に切り替えて表示する動作の更に異なる例を示すフローチャートである。
【図１６】本発明に係る画像形成装置において蓄積済み文書のリスト形式の表示をサムネイル形式に切り替えて表示する動作の更に異なる例を示すフローチャートである。
【符号の説明】
【００７６】
１…自動原稿送り装置（ＡＤＦ）、１０…第３トレイ、１００…フィニシャ、１０１…切り替え板、１０２…通常排紙ローラ、１０３…搬送ローラ、１０４…通常排紙トレイ、１０５…ステープル搬送ローラ、１０６…ステープラ、１０７…ステープル搬送ローラ、１０８…ステープル台、１０９…ジョガー、１１…第１給紙装置、１１０…ステープル完了排紙トレイ、１１１…両面給紙ユニット、１１２…分岐爪、１１３…両面入紙搬送路、１１４…反転排紙搬送路、１２…第２給紙装置、１３…第３給紙装置、１４…縦搬送ユニット、１５…感光体、１６…搬送ベルト、１７…定着ユニット、１８…排紙ユニット、２…原稿台、２０…メインコントローラ、２１…中間クラッチ、２２…第１給紙クラッチ、２３…第２給紙クラッチ、２４…第３給紙クラッチ、２５…メインモータ、２６…搬送モータ、２７…現像ユニット、３…給送ローラ、３０…操作部、３１…液晶タッチパネル、３２…テンキー、３３…クリア／ストップキー、３４…プリントキー、３５…予熱キー、３６…リセットキー、３７…初期設定キー、３８…コピーキー、３９…コピーサーバーキー、４…給送ベルト、４９…画像処理ユニット（ＩＰＵ）、５…排送ローラ、５０…読み取りユニット、５１…露光ランプ、５２…第１ミラー、５３…レンズ、５４…ＣＣＤイメージセンサ、５５…第２ミラー、５６…第３ミラー、５７…書き込みユニット、５８…レーザ出力ユニット、５９…結像レンズ、６…コンタクトガラス、６０…ミラー、６１…Ａ／Ｄコンバータ、６２…シェーディング補正部、６３…画像処理部、６４…セレクタ、６５…画像メモリコントローラ、６６…画像メモリ、６７…Ｉ／Ｏポート、６８…ＣＰＵ、６９…ＲＯＭ、７…原稿セット検知器、７０…ＲＡＭ、７１…印字合成部、７４…ＮＶ−ＲＡＭ、７５…ハードディスク（ＨＤ）、７７…変倍回路、８…第１トレイ、８１…コピーアプリ、８２…コピーサーバーアプリ、８３…プリンタアプリ、８４…システムコントローラ、８５…操作部コントローラ、８６…周辺機コントローラ、８７…画像形成装置コントローラ、８８…画像読み取り装置コントローラ、８９…メモリユニット、９…第２トレイ、９０…入出力制御部。
【図１０】
2006253751.tif 000003
【図１１】
2006253751.tif 000004
【図１２】
2006253751.tif 000005
【図１】
2006253751.tif 000006
【図２】
2006253751.tif 000007
【図３】
2006253751.tif 000008
【図４】
2006253751.tif 000009
【図５】
2006253751.tif 000010
【図６】
2006253751.tif 000011
【図７】
2006253751.tif 000012
【図８】
2006253751.tif 000013
【図９】
2006253751.tif 000014
【図１３】
2006253751.tif 000015
【図１４】
2006253751.tif 000016
【図１５】
2006253751.tif 000017
【図１６】
2006253751.tif 000018